(57)【要約】【課題】電子回数券の使用が、特定の店舗等に偏ることを防止し、電子回数券が使用可能な店舗群等の全体における使用を促すことができる電子回数券情報管理システム等を提供すること。【解決手段】商品及び／又は役務の提供を求める顧客が所持する携帯端末１０と、商品及び／又は役務を提供する提供場所において使用可能な電子回数券情報の使用情報１１１を管理する電子回数券管理装置１００と、を有し、電子回数券は、特定の提供場所群の提供場所が提供する商品等に対してのみ使用可能であり、同一の提供場所における電子回数券の連続使用を制限する連続使用制限部１１３を有する電子回数券情報管理システム１。【選択図】図１
2020087302.tif 000002
【特許請求の範囲】
【請求項１】
商品及び／又は役務の提供を求める顧客が所持する携帯端末と、
前記商品及び／又は役務を提供する提供場所において使用可能な電子回数券情報の使用情報を管理する電子回数券管理装置と、を有し、
前記電子回数券は、複数の前記提供場所から成る特定の提供場所群に含まれる全部又は一部の特定の前記提供場所が提供する単数又は複数の商品及び／又は役務に対してのみ使用可能であり、
前記電子回数券管理装置は、前記特定の提供場所群に含まれる前記特定の提供場所と、前記特定の提供場所が提供する単数又は複数の前記商品及び／又は役務を記憶する第１記憶部と、
顧客が前記携帯端末を介して購入した購入済み回数券情報と、前記購入済み回数券情報の顧客による前記使用情報とを記憶する第２記憶部と、
前記使用情報に基づいて前記特定の提供場所に対する支払情報を生成する支払情報生成部と、を有すると共に、同日における同一の前記特定の提供場所における前記電子回数券の連続使用を制限する連続使用制限部を有することを特徴とする電子回数券情報管理システム。
【請求項２】
前記電子回数券は、複数回の利用が可能な構成となっていることを特徴とする請求項１に記載の電子回数券情報管理システム。
【請求項３】
前記電子回数券管理装置が、計時部を有し、前記特定の提供場所の営業時間を記憶し、顧客の前記携帯端末で前記電子回数券の使用による消し込み処理が行われた時刻が前記提供場所の営業時間内に行われたか否かを判断する営業時間判断部を有することを特徴とする請求項１又は請求項２に記載の電子回数券情報管理システム。
【請求項４】
前記電子回数券管理装置が、顧客の前記携帯端末の位置情報を取得すると共に、
顧客が前記携帯端末で消し込み処理を実行した際の前記携帯端末の位置情報と既登録の前記提供場所の位置情報を比較し、当該消し込み処理が、前記提供場所又はその近傍で実行されたか否かを判断する消し込み処理位置判断部も備えることを特徴とする請求項１乃至請求項３のいずれか１項に記載の電子回数券情報管理システム。
【請求項５】
前記電子回数券を使用する前記提供場所に配置される提供場所端末を有し、
前記消し込み処理は、前記携帯端末における確認処理及び前記提供場所端末における確認処理によって実行されることを特徴する請求項３又は請求項４に記載の電子回数券情報管理システム。
【請求項６】
前記携帯端末の表示部に、前記電子回数券の使用のための入力画面が表示されると共に、予約画面も表示されることを特徴とする請求項１乃至請求項５のいずれか１項に記載の電子回数券情報管理システム。
【請求項７】
前記携帯端末の表示部に、前記電子回数券の消込完了情報が表示されると共に、第１のアンケートの記入欄が示される構成となっていることを特徴とする請求項１乃至請求項６のいずれか１項に記載の電子回数券情報管理システム。
【請求項８】
顧客の前記携帯端末における消し込み処理の実行時刻を記憶し、前記実行時刻から所定時間経過後に、第２のアンケートのメールが送信されることを特徴とする請求項１乃至請求項７のいずれか１項に記載の電子回数券情報管理システム。
【請求項９】
商品及び／又は役務の提供を求める顧客が所持する携帯端末と、
前記商品及び／又は役務を提供する提供場所において使用可能な電子回数券情報の使用情報を管理する電子回数券管理装置と、を有する電子回数券情報管理システムの制御方法であって、
前記電子回数券は、複数の前記提供場所から成る特定の提供場所群に含まれる全部又は一部の特定の前記提供場所が提供する単数又は複数の商品又は役務に対してのみ使用可能であり、
前記電子回数券管理装置は、前記特定の提供場所群に含まれる前記特定の提供場所と、前記特定の提供場所が提供する単数又は複数の前記商品及び／又は役務を記憶し、
顧客が前記携帯端末を介して購入した購入済み回数券情報と、前記購入済み回数券情報の顧客による前記使用情報とを記憶し、
支払情報生成部が、前記使用情報に基づいて前記特定の提供場所に対する支払情報を生成すると共に、連続使用制限部が、同日における同一の前記提供場所における前記電子回数券の連続使用を制限することを特徴とする電子回数券情報管理システムの制御方法。
【請求項１０】
商品及び／又は役務の提供を求める顧客が所持する携帯端末と、前記商品及び／又は役務を提供する提供場所において使用可能な電子回数券情報の使用情報を管理する電子回数券管理装置と、を有する電子回数券情報管理システムに、
前記電子回数券が、複数の前記提供場所から成る特定の提供場所群に含まれる全部又は一部の特定の前記提供場所が提供する単数又は複数の商品又は役務に対してのみ使用可能な機能、
前記電子回数券管理装置が、前記特定の提供場所群に含まれる前記特定の提供場所と、前記特定の提供場所が提供する単数又は複数の前記商品及び／又は役務を記憶する機能、
顧客が前記携帯端末を介して購入した購入済み回数券情報と、前記購入済み回数券情報の顧客による前記使用情報とを記憶する機能、
支払情報生成部が、前記使用情報に基づいて前記特定の提供場所に対する支払情報を生成する機能、
連続使用制限部が、同日における同一の前記提供場所における前記電子回数券の連続使用を制限する機能を、を実行させる電子回数券情報管理システムの制御プログラム。
【発明の詳細な説明】
【技術分野】
【０００１】
本発明は、例えば、店舗等で使用可能な電子回数券情報を管理する電子回数券情報管理システム、電子回数券情報管理システムの制御方法及び電子回数券情報管理システムの制御プログラムに関するものである。
【背景技術】
【０００２】
従来から店舗等で使用可能な電子回数券を管理装置等が管理することは提案されている（例えば、特許文献１）。
【先行技術文献】
【特許文献】
【０００３】
【特許文献１】特開２００４−１３５８１
【発明の概要】
【発明が解決しようとする課題】
【０００４】
しかし、従来の電子回数券は、例えば、ショッピングモール等の複数の店舗等で使用可能であっても、顧客の使用は、一部の人気店舗における使用に偏る傾向があり、ショッピングモール等の全体の集客効果が薄い等の問題があった。
【０００５】
そこで、本発明は、電子回数券の使用が、一部の店舗等に偏ることを防止し、電子回数券が使用可能なショッピングモール等の店舗群等の全体における使用を促し、集客効果等を向上させることができる電子回数券情報管理システム、電子回数券情報管理システムの制御方法及び電子回数券情報管理システムの制御プログラムを提供することを目的する。
【課題を解決するための手段】
【０００６】
前記目的は、本発明によれば、商品及び／又は役務の提供を求める顧客が所持する携帯端末と、前記商品及び／又は役務を提供する提供場所において使用可能な電子回数券情報の使用情報を管理する電子回数券管理装置と、を有し、前記電子回数券は、複数の前記提供場所から成る特定の提供場所群に含まれる全部又は一部の特定の前記提供場所が提供する単数又は複数の商品及び／又は役務に対してのみ使用可能であり、前記電子回数券管理装置は、前記特定の提供場所群に含まれる前記特定の提供場所と、前記特定の提供場所が提供する単数又は複数の前記商品及び／又は役務を記憶する第１記憶部と、顧客が前記携帯端末を介して購入した購入済み回数券情報と、前記購入済み回数券情報の顧客による前記使用情報とを記憶する第２記憶部と、前記使用情報に基づいて前記特定の提供場所に対する支払情報を生成する支払情報生成部と、を有すると共に、同日における同一の前記特定の提供場所における前記電子回数券の連続使用を制限する連続使用制限部をも有することを特徴とする電子回数券情報管理システムにより達成される。
【０００７】
前記構成によれば、店舗等で使用可能な電子回数券の同一店舗等の提供場所における連続使用を制限する連続使用制限部を有している。
このため、電子回数券の使用が、特定の店舗等に偏ることを防止し、電子回数券が使用可能な店舗群等の全体における使用を促すことができる。
【０００８】
また、前記構成によれば、同日における同一の提供場所における電子回数券の連続使用の制限となっている。
このため、同一店舗等の提供場所における電子回数券の「同日の」連続使用を制限することができ、「同日」における他の店舗等での電子回数券の使用を促すことができる。
特に、提供場所が飲食店舗等の場合は、顧客に同日における「食べ比べ」等を行うように促すことができるので、顧客に普段利用しない店舗等での商品及び／又は役務の購入機会を提供することができ、顧客にお気に入り店舗との遭遇機会を提供することができる。一方、店舗等に対してもリピーターの獲得の機会を提供することができる。したがって、電子回数券の使用可能な飲食店舗群等の全体の利益を向上させることができる。
【０００９】
好ましくは、前記電子回数券情報管理システムの前記電子回数券は、複数回の利用が可能な構成となっていることを特徴とする。
【００１０】
前記構成によれば、顧客がショッピングモール等の店舗群を訪問し、電子回数券を使用する際、次回の訪問予定が未定等である場合、使い切っていない電子回数券を使い尽したいとの心理が働くため、いつも利用する店舗以外の店舗の利用意欲を高めることができる。
一方、電子回数券を使い尽くさず、残った状態で、顧客が店舗群を退去した場合であっても、顧客には、残った回数券を使い尽したいとの意思が働くので、次回、顧客を当該店舗群に訪問させることを促す効果が発揮される。
【００１１】
好ましくは、前記電子回数券情報管理システムの前記電子回数券管理装置が、計時部を有し、前記特定の提供場所の営業時間を記憶し、顧客の前記携帯端末で前記電子回数券の使用による消し込み処理が行われた時刻が前記提供場所の営業時間内に行われたか否かを判断する営業時間判断部を有することを特徴とする。
【００１２】
前記構成によれば、操作者の操作間違い等により、店舗等の営業時間外に実行された「消し込み処理」が、誤って、有効とされることを未然に防ぐことができる。
【００１３】
好ましくは、前記電子回数券情報管理システムの前記電子回数券管理装置が、顧客の前記携帯端末の位置情報を取得すると共に、
顧客が前記携帯端末で消し込み処理を実行した際の前記携帯端末の位置情報と既登録の前記提供場所の位置情報を比較し、当該消し込み処理が、前記提供場所又はその近傍で実行されたか否かを判断する消し込み処理位置判断部も備えることを特徴とする。
【００１４】
前記構成によれば、操作者の操作間違い等により、店舗以外の場所で実行された「消し込み処理」が誤って、有効とされることを未然に防ぐことができる。
【００１５】
好ましくは、前記電子回数券情報管理システムは、前記電子回数券を使用する前記提供場所に配置される提供場所端末を有し、前記消し込み処理は、前記携帯端末における確認処理及び前記提供場所端末における確認処理によって実行されることを特徴する。
【００１６】
前記構成によれば、電子回数券の使用による消込処理は、携帯端末のみならず、提供場所端末における確認処理を待って実行されるので、顧客の携帯端末の操作間違い等により誤って、電子回数券が消し込まれることを未然に防止することができる。
【００１７】
好ましくは、前記電子回数券情報管理システムは、前記携帯端末の表示部に、前記電子回数券の使用のための入力画面が表示されると共に、予約画面も表示されることを特徴とする。
【００１８】
前記構成によれば、携帯端末の表示部に、電子回数券の使用のための入力画面が表示されると共に、予約画面も表示されるので、電子回数券の使用の入力と予約をほぼ同時に行うことができ、携帯端末の使用者にとって使い易い構成となっている。
【００１９】
好ましくは、前記電子回数券情報管理システムは、前記携帯端末の表示部に、前記電子回数券の消込完了情報が表示されると共に、第１のアンケートの記入欄が示される構成となっていることを特徴とする。
【００２０】
前記構成によれば、携帯端末の表示部に、電子回数券の消込完了情報が表示されると共に、アンケート記入欄が示される。
このため、電子回数券の使用者が、回数券の使用をするときと、極めて近接した時刻に、アンケートの結果を得ることができるので、信頼性の高い情報を取得することができる。
【００２１】
好ましくは、前記電子回数券情報管理システムは、顧客の前記携帯端末における消し込み処理の実行時刻を記憶し、前記実行時刻から所定時間経過後に、第２のアンケートのメールが送信されることを特徴とする。
【００２２】
前記構成によれば、電子回数券を使用した店舗等に関する顧客の信頼性の高い意見を取得することができる。
特に、飲食店舗の場合、顧客の平均的な飲食時間経過後に第２のアンケートのメールを送信することで、顧客が購入した料理等の感想を飲食後、顧客の記憶が鮮明なうちに得ることができる。
【００２３】
前記目的は、本発明によれば、商品及び／又は役務の提供を求める顧客が所持する携帯端末と、前記商品及び／又は役務を提供する提供場所において使用可能な電子回数券情報の使用情報を管理する電子回数券管理装置と、を有する電子回数券情報管理システムの制御方法であって、前記電子回数券は、複数の前記提供場所から成る特定の提供場所群に含まれる全部又は一部の特定の前記提供場所が提供する単数又は複数の商品又は役務に対してのみ使用可能であり、前記電子回数券管理装置は、前記特定の提供場所群に含まれる前記特定の提供場所と、前記特定の提供場所が提供する単数又は複数の前記商品及び／又は役務を記憶し、顧客が前記携帯端末を介して購入した購入済み回数券情報と、前記購入済み回数券情報の顧客による前記使用情報とを記憶し、支払情報生成部が、前記使用情報に基づいて前記特定の提供場所に対する支払情報を生成すると共に、連続使用制限部が、同日における同一の前記提供場所における前記電子回数券の連続使用を制限することを特徴とする電子回数券情報管理システムの制御方法により達成される。
【００２４】
前記目的は、本発明によれば、商品及び／又は役務の提供を求める顧客が所持する携帯端末と、前記商品及び／又は役務を提供する提供場所において使用可能な電子回数券情報の使用情報を管理する電子回数券管理装置と、を有する電子回数券情報管理システムに、前記電子回数券が、複数の前記提供場所から成る特定の提供場所群に含まれる全部又は一部の特定の前記提供場所が提供する単数又は複数の商品又は役務に対してのみ使用可能な機能、前記電子回数券管理装置が、前記特定の提供場所群に含まれる前記特定の提供場所と、前記特定の提供場所が提供する単数又は複数の前記商品及び／又は役務を記憶する機能、顧客が前記携帯端末を介して購入した購入済み回数券情報と、前記購入済み回数券情報の顧客による前記使用情報とを記憶する機能、支払情報生成部が、前記使用情報に基づいて前記特定の提供場所に対する支払情報を生成する機能、連続使用制限部が、同日における同一の前記提供場所における前記電子回数券の連続使用を制限する機能、を実行させる電子回数券情報管理システムの制御プログラムにより達成される。
【発明の効果】
【００２５】
そこで、本発明は、電子回数券の使用が、特定の店舗等に偏ることを防止し、電子回数券が使用可能な店舗群等の全体における使用を促すことができる電子回数券情報管理システム、電子回数券情報管理システムの制御方法及び電子回数券情報管理システムの制御プログラムを提供できるという利点がある。
【図面の簡単な説明】
【００２６】
【図１】本発明の電子回数券情報管理システムである例えば、「飲食回数券管理システム１」を示す概略図である。
【図２】図１の携帯端末の主な構成を示す概略ブロック図である。
【図３】図１の店舗端末の主な構成を示す概略ブロック図である。
【図４】図１の管理サーバの主な構成を示す概略ブロック図である。
【図５】図４の「第１の管理サーバ各種情報記憶部」の構成を示す概略ブロック図である。
【図６】図４の「第２の管理サーバ各種情報記憶部」の構成を示す概略ブロック図である。
【図７】図４の「第３の管理サーバ各種情報記憶部」の構成を示す概略ブロック図である。
【図８】「飲食回数券購入工程」を示す概略フローチャートである。
【図９】「飲食回数券使用工程」を示す概略フローチャートである。
【図１０】「飲食回数券使用工程」を示す他の概略フローチャートである。
【図１１】「飲食回数券使用工程」を示す他の概略フローチャートである。
【図１２】「回数券期限通知工程」を示す概略フローチャートである。
【図１３】「回数券使用可能通知工程」を示す概略フローチャートである。
【図１４】「回数券使用画面」の画面例を示す概略説明図である。
【図１５】「回数券使用確認画面」の画面例を示す概略説明図である。
【図１６】「店舗確認用画面」の画面例を示す概略説明図である。
【図１７】「処理報告用画面」の画面例を示す概略説明図である。
【発明を実施するための形態】
【００２７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２８】
（図１の飲食回数券管理システム１の主な構成について）
図１は、本発明の電子回数券情報管理システムである例えば、「飲食回数券管理システム１」を示す概略図である。
図１に示すように、飲食回数券管理システム１は、提供場所である例えば、店舗「Ｂカフェ」が有する「提供場所端末」である例えば、「店舗端末３０」、本システム１の管理者が管理する「電子回数券管理装置」である例えば、「管理サーバ１００」及び本システム１を利用する顧客が所持する「携帯端末１０」を有している。
【００２９】
そして、これら店舗端末３０、管理サーバ１００及び携帯端末１０は、図１のインターネット網２及び基地局３等を介して、相互に通信可能な構成となっている。
また、図１の携帯端末１０は、表示部である例えば、「携帯端末タッチパネル１１」や「携帯端末入力ボタン１２」を有している。
携帯端末タッチパネル１１は、各種情報を表示する「ディスプレイ」と、位置入力装置を組み合わせた電子部品であり、ディスプレイ上の表示に利用者が触れることで各種情報の入力ができる入力装置ともなっている。
携帯端末入力ボタン１２は、操作者が同ボタン１２を押下することで、各種情報が入力可能な構成となっている。
【００３０】
また、図１の店舗端末３０には、バーコードリーダ４０が接続されている。このバーコードリーダ４０は、携帯端末１０の携帯端末タッチパネル１１に表示される「マトリックス型二次元バーコード」を読み取ることが可能な構成となっている。
【００３１】
ところで、図１の携帯端末１０、店舗端末３０及び管理サーバ１００等はコンピュータを有し、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００３２】
また、図１の飲食回数券管理システム１は、例えば、Ａフードコート内の飲食店舗である「Ｂカフェ」やその他の店舗で、利用可能な「電子回数券」である例えば、「飲食回数券」が利用可能な構成となっている。詳細な構成等は後述する。
【００３３】
（携帯端末１０の主な構成について）
図２は、図１の携帯端末１０の主な構成を示す概略ブロック図である。
図２に示すように、携帯端末１０は、上述の「携帯端末タッチパネル１１」、「携帯端末入力ボタン１２」を有すると共に「携帯端末制御部１３」、「携帯端末通信装置１４」、「ＧＰＳ装置１５」及び「携帯端末側各種情報記憶部１６」を有している。
【００３４】
このうち、「携帯端末通信装置１４」は、携帯端末１０が図１の店舗端末３０や管理サーバ１００等と通信するための装置である。
また「ＧＰＳ装置１５」は、携帯端末１０の緯度及び経度の情報を取得することで、携帯端末１０の位置を測位する装置である。
具体的には、ＧＰＳ（Ｇｌｏｂａｌ  Ｐｏｓｉｔｉｏｎｉｎｇ  Ｓｙｓｔｅｍ）（グローバルポジショニングシステム）は、地球の周回軌道の衛星からの信号を受信することで受信装置の現在位置（緯度、経度）を測位するシステムとなっている。
【００３５】
また、図２の「携帯端末側各種情報記憶部１６」は、携帯端末１０の各種情報を記憶する構成となっている。
そして、「携帯端末制御部１３」が、これら「携帯端末通信装置１４」等を制御する構成となっている。
【００３６】
（店舗端末３０の主な構成について）
図３は、図１の店舗端末３０の主な構成を示す概略ブロック図である。
図３に示すように、店舗端末３０は、「店舗端末制御部３１」、「店舗端末通信装置３４」、「店舗端末タッチパネル３３」及び「店舗端末側各種情報記憶部３２」を有している。
【００３７】
このうち、「店舗端末通信装置３２」は、店舗端末３０が図３等のバーコードリーダ４０、携帯端末１０や管理サーバ１００等と通信するための装置である。
また、図３の「店舗端末側各種情報記憶部３４」は、店舗端末３０の各種情報を記憶する構成となっている。
そして、「店舗端末制御部３１」が、これら「店舗端末通信装置３２」等を制御する構成となっている。
【００３８】
（管理サーバ１００の主な構成について）
図４は、図１の管理サーバ１００の主な構成を示す概略ブロック図である。
図４に示すように、管理サーバ１００は、「管理サーバ制御部１０１」、「管理サーバ通信装置１０２」、「各種情報入力装置１０３」、「ディスプレイ１０４」、「時計装置１０５（「計時部」に一例）」、「第１の管理サーバ各種情報記憶部１１０」、「第２の管理サーバ各種情報記憶部１２０」及び「第３の管理サーバ各種情報記憶部１３０」を有している。
このうち「管理サーバ通信装置１０２」は、図１の携帯端末１０等と通信するための装置であり、「各種情報入力装置１０３」は例えば、キーボード等であり、情報を管理サーバ１００に入力する装置となっている。
また、ディスプレイは、各種情報を表示する装置である。
そして、「管理サーバ制御部１０１」が「管理サーバ通信装置１０２」等の他の構成を制御する構成となっている。
【００３９】
図５乃至図７は、それぞれ、図４の「第１の管理サーバ各種情報記憶部１１０」、「第２の管理サーバ各種情報記憶部１２０」、「第３の管理サーバ各種情報記憶部１３０」の構成を示す概略ブロック図である。これらの内容については、後述する。
【００４０】
（飲食回数券管理システム１の主な動作例）
図８乃至図１３は、飲食回数券管理システム１の主な動作例を示す概略フローチャートである。
本実施の形態では、図１の携帯端末１０を所持する顧客Ｚが、「Ａフードコート」内の飲食店舗でのみ使用可能な飲食券が５枚含まれている飲食回数券を購入する例で、以下説明する。
この飲食回数券は、同一日に同一店舗で使用するときは、２枚以内と制限されている。
このため、本実施の形態では、Ａフードコート内の飲食店舗を利用する顧客Ｚ等は、同じ「Ａフードコート」内の他の飲食店舗を利用することを促される構成となっている。
また、日が異なれば、同一の飲食店舗を利用できるので、同じ顧客の日を違えた再来店も促すことができる構成となっている。
特に、飲食回数券の１枚が「５００円」で、飲食店舗でも１食「５００円」のワンコインで提供する場合は、顧客Ｚに、Ａフードコート内の飲食店舗の「食べ比べ」を促すことになり、Ａフードコート内の飲食店舗全体の利益を向上させることになる。
【００４１】
以下、飲食回数券管理システム１の主な動作例を具体的に説明する。
（飲食回数券購入工程）
図８は、「飲食回数券購入工程」を示す概略フローチャートである。
以下、顧客Ｚ「飲食回数券」を購入する工程を同フローチャートに沿って説明する。
先ず、図８のステップ（以下「ＳＴ」とする。）１では、顧客Ｚは、自己の携帯端末１０を動作させ、管理サーバ１００にアクセスし、購入可能な「飲食回数券」を携帯端末タッチパネル１１に表示させる。
【００４２】
具体的には、図５の「購入可能な飲食回数券データ記憶部１１５」を参照し、購入が可能な飲食回数券、例えば、「Ａフードコート」や「Ｂフードコート」等の飲食回数券を表示する。
その後、顧客Ｚは、携帯端末１０を介して、自己の氏名、メールアドレス、年齢等を入力し、例えば、「Ａフードコート」の飲食回数券の購入を選択し、同飲食回数券の購入希望のデータを管理サーバ１００へ送信する。
【００４３】
この図５の「購入可能な飲食回数券データ記憶部１１５」には、上述の「Ａフードコート」「Ｂフードコート」等の各フードコートに属する店舗名、そして、各店舗が提供するメニューのデータが記憶されている。また、同記憶部１１５には、各店舗の営業時間情報や位置情報（緯度及び経度等の情報）も併せて記憶されている。
したがって、「購入可能な飲食回数券データ記憶部１１５」の「Ａフードコート」「Ｂフードコート」等が「電子回数券が使用可能な特定の提供場所群」の一例であり、「Ｂカフェ」等の店舗が「特定の提供場所」の一例であり、さらに、「メニュー」が「商品及び／又は役務」の一例となっている。
【００４４】
次いで、ＳＴ２へ進む。ＳＴ２では、管理サーバ１００は、入力されたデータに「識別番号（１０００１）」、「回数券枚数（５枚）」、「回数券期限（購入から６カ月）」等のデータと関連付けて、図５の「飲食回数券データ記録部１１１」に記憶させる。
この「飲食回数券データ記録部１１１」に記憶されるデータが、「購入済み回数券情報」の一例となっている。また、「飲食回数券データ記録部１１１」の「残枚数」「使用店舗」「使用メニュー」等が「購入済み回数券情報の顧客による使用情報」の一例となっている。
また、「購入可能な飲食回数券データ記憶部１１５」が、「第１の記憶部」の一例であり、「飲食回数券データ記録部１１１」が「第２の記憶部」の一例である。
【００４５】
次いで、ＳＴ３へ進む。ＳＴ３では、管理サーバ１００が、携帯端末１０に「識別番号（１０００１）」を送信する。携帯端末１０は、この「識別番号（１０００１）」を図２の「携帯端末側各種情報記憶部１６」に記憶させる。
以上で、顧客Ｚによる、Ａフードコートの飲食回数券の購入が完了し、購入された飲食回数券は、管理サーバ１００の「飲食回数券データ記録部１１１」に記憶される。
なお、飲食回数券の購入代金の決済は、クレジットカード等やその他の電子決済システムで行われる。
【００４６】
（飲食回数券使用工程）
次いで、「Ａフードコート」の「飲食回数券」を購入した顧客Ｚが、購入した「飲食回数券」を実際に使用する工程を説明する。
図９乃至図１１は、「飲食回数券使用工程」を示す概略フローチャートである。
先ず、図９のＳＴ１１で、顧客Ｚは、携帯端末１０で管理サーバ１００にアクセスし、識別番号で認証する。
その後、携帯端末１０で「Ａフードコート回数券」を選択し、飲食店舗であるＢカフェを選択し、その画面を開き、メニューを開く、その中から例えば、「お子様セット」を選択する。
【００４７】
次いで、管理サーバ１００は、特定された飲食店舗（Ｂカフェ）と入力した時刻を、図５の「飲食回数券データ記憶部１１１」の飲食回数券データの「使用店舗」、「使用時刻」に記憶する。
そして、ＳＴ１２へ進む。ＳＴ１２では、図５の「回数券有効判断処理部（プログラム）１１２」が動作し、「飲食回数券データ記憶部１１１」を参照し、当該識別番号の飲食回数券の残枚数（例えば、５枚）のデータに基づき、残枚数が０であるか否かを判断する。                 
【００４８】
回数券の残枚数が「０」でないときは、ＳＴ１３へ進む。ＳＴ１３では、「回数券有効判断処理部１１２」が動作し、「飲食回数券データ記憶部１１１」の有効期限（例えば、２０１８／１２／３１）のデータに基づき、有効期限が徒過していないか否かを判断する。
【００４９】
ＳＴ１３で、有効期限が徒過していないときは、ＳＴ１４へ進む。ＳＴ１４では、「回数券有効判断処理部１１２」が動作し、残枚数と有効期限を表示した「回数券使用画面」が携帯端末１０に送信され、携帯端末１０のタッチパネル１１に同画面が表示される。
【００５０】
図１４は、「回数券使用画面」の画面例を示す概略説明図である。
図１４の「回数券使用画面」では、選択されたメニュー（お子様セット）、飲食店舗（Ｂカフェ）、回数券の使用枚数（１枚又は２枚）、「つかう」、「予約」、残りの回数券の枚数、回数券の有効期限（２０１８／１２／３１）が表示される。                
なお、残枚数が１枚のときは、「２枚」の選択肢はなく、「１枚」と表示される。
【００５１】
一方、ＳＴ１２で飲食回数券の枚数が「０」、ＳＴ１３で、有効期限が徒過している場合は、「回数券使用画面」の代わりに回数券が「使用不可」であることが表示される（ＳＴ１５）。
【００５２】
次いで、ＳＴ１６へ進む。ＳＴ１６では、顧客Ｚが、携帯端末１０に表示されている、「つかう」と「１枚」又は「２枚」を選択するか否かを判断する。
ＳＴ１６で、「つかう」と「１枚」又は「２枚」を選択すると、この選択されたデータは管理サーバ１００へ送信される。
【００５３】
次いで、ＳＴ１７へ進む。ＳＴ１７では、図５の「同一店舗制限判断処理部（プログラム）１１３」が動作し、携帯端末１０によって特定された「店舗（例えば、Ｂカフェ）」及び飲食回数券の「枚数（例えば、１枚）」のデータと、図５の「飲食回数券データ記憶部１１１」の「識別番号」に対応する「使用店舗」と「使用時刻」のデータを参照する。
そして、飲食回数券が、使用時刻と同一日、同一店舗で既に２回使用済みであるか否かを判断し、使用済みであれば、「使用不可」の画面が携帯端末１０の携帯端末タッチパネル１１に表示される。
【００５４】
一方、ＳＴ１７で、飲食回数券が、使用時刻と同一日、同一店舗で既に２回使用済みでないときは、ＳＴ１９へ進む。ＳＴ１９では、「同一店舗制限判断処理部１１３」により携帯端末タッチパネル１１に、「回数券使用確認画面」が表示される。
したがって、「同一店舗制限判断処理部１１３」は、連続使用制限部の一例となっている。
【００５５】
図１５は、「回数券使用確認画面」の画面例を示す概略説明図である。
図１５に示すように、「回数券使用確認画面」では、「メニュー（お子様セット）」、「店舗（Ｂカフェ）」、「枚数（１枚）」「ＯＫ？」「戻る」が表示される。
そして、ＳＴ２０へ進む。ＳＴ２０で、「回数券使用確認画面」において、携帯端末１０により「ＯＫ？」が選択されると、ＳＴ２１へ進む。
【００５６】
ＳＴ２１では、「店舗確認用画面」が携帯端末１０の携帯端末タッチパネル１１に表示される。
図１６は、「店舗確認用画面」の画面例を示す概略説明図である。
図１６に示すように、「店舗確認用画面」は、必要なデータを「マトリックス型二次元バーコード」として表示される。
この「マトリックス型二次元バーコード」には、例えば、携帯端末１０の識別番号、飲食回数券を使用する飲食店舗名、使用枚数、使用時刻等のデータが含まれている。
【００５７】
一方、ＳＴ２０で、「ＯＫ？」が選択されず、ＳＴ２６で、「戻る」が選択されたときは、ＳＴ１９の「回数券使用確認画面」に戻る構成となっている。
【００５８】
次いで、ＳＴ２２へ進む。ＳＴ２２では、顧客Ｚが、携帯端末１０に「店舗確認用画面」が表示された状態で、飲食店舗（Bカフェ）へ行き、店舗端末３０と接続されている「バーコードリーダ４０」で、携帯端末タッチパネル１１に表示されている「マトリックス型二次元バーコード」を読み取らせる。
すると、「バーコードリーダ４０」で読み取ったデータを店舗端末３０が管理サーバ１００へ送信する。
【００５９】
次いで、ＳＴ２３へ進む。ＳＴ２３では、図５の「営業時間判断部（プログラム）１１６」が動作し、図４の時計装置１０５を参照し、管理サーバ１００が、店舗端末３０からデータを受信した時刻を取得する。
なお、本実施の形態では、「バーコードリーダ４０」で読み取ったデータを店舗端末３０が管理サーバ１００へ送信する構成としたが、当該データを店舗端末３０から一旦、携帯端末１０に送信し、携帯端末１０から管理サーバ１００へ送信する構成としても構わない。
この場合、店舗端末３０を管理サーバ１００と通信可能な状態とする必要がなく、使い易いシステムとなる。
ところで、同判断部１１６は、「購入可能な飲食回数券データ記憶部１１５」に記憶されている当該飲食店舗（Ｂカフェ）の営業時間情報も取得する。そして、店舗端末３０からデータを受信した時刻が、Ｂカフェの営業時間内であるか否かを判断する。
【００６０】
ＳＴ２３で、Ｂカフェの営業時間内でないと判断したときは、当該データは間違いと判断する。
このように、当該店舗の営業時間外における飲食回数券の使用は間違いとし、後述する「消し込み処理」が誤って実行されることを未然に防止する。
【００６１】
ＳＴ２３で、営業時間内であると判断されたときは、ＳＴ２４へ進む。ＳＴ２４では、図５の「消し込み処理位置判断部（プログラム）１１７」が動作し、携帯端末１０のＧＰＳ１５から携帯端末１０の現在位置情報（緯度及び経度等）を取得する。
また、同判断部１１７は、図５の「購入可能な飲食回数券データ記憶部１１５」の当該店舗（Ｂカフェ）の位置情報（緯度及び経度等）を取得する。そして、携帯端末１０の現在位置が、店舗（Ｂカフェ）の位置情報内又は所定の範囲の近傍に所在するか否かを判断する。
【００６２】
ＳＴ２４で、携帯端末１０が、Ｂカフェの位置情報内又は所定の範囲の近傍内に所在しないと判断したときは、当該データは間違いと判断する。
このように、当該店舗（Ｂカフェ）の位置情報内又は所定の範囲の近傍以外に、携帯端末１０が所在するときは、飲食回数券の使用が間違いとし、後述する「消し込み処理」が誤って実行されることを未然に防止する。
【００６３】
ＳＴ２４で、携帯端末１０が、Ｂカフェの位置情報内又は所定の範囲の近傍内に所在すると判断したときは、ＳＴ２５へ進む、ＳＴ２５では、管理サーバ１００の「消し込み処理部（プログラム）１１４」（消し込み処理の一例）が動作し、図５の「飲食回数券データ記憶部１１１」の識別番号に対応する「残枚数（５枚）」を例えば１枚減じると共に、使用店舗として「Ｂカフェ」、使用時期として「当該日時」を記憶する。
【００６４】
このように、本実施の形態では、消し込み処理を行う際は、携帯端末１０における顧客Ｚによる、図１５の「回数券使用確認画面」の「ＯＫ？」の選択のみならず、Ｂカフェ（飲食店舗）によるバーコードリーダ４０による携帯端末１０に表示された図１６の「店舗確認用画面」の「マトリックス型二次元バーコード」の読み取りがあって初めて実行される構成となっている。
このため、顧客Ｚによる押し間違い等の操作間違い等によって誤って、飲食回数券が「消し込まれる」のを未然に防止することができる構成となっている。
【００６５】
したがって、「回数券使用確認画面」が「携帯端末における確認処理」の一例であり、「店舗確認用画面」が「提供場所端末における確認処理」の一例となっている。
【００６６】
次いで、ＳＴ２６へ進む。ＳＴ２６では、管理サーバ１００が、飲食回数券の消し込み処理が完了したことを示す「消込完了情報」である例えば、「処理報告用画面」を生成し、携帯端末１０に送信し、携帯端末タッチパネル１１に表示させる。
【００６７】
図１７は、「処理報告用画面」の画面例を示す概略説明図である。
図１７で示すように、同画面には「ありがとうございます」の文字、飲食回数券の残数、有効期限等の情報の他に、「第１のアンケート」も併せて表示される。
この第１のアンケートは、記入欄も表示され、例えば「本店舗を選んだ理由」とその「記入欄」や「本メニューを選んだ理由」とその「記入欄」等が表示される。
【００６８】
このように、本実施の形態では、飲食回数券を利用した直後の顧客Ｚの意見を聞くことができるので、飲食店舗やメニュー選択等について、極めて有効で信頼性の高い情報を取得することができる。
【００６９】
次いで、ＳＴ２７へ進む。ＳＴ２７では、図５の「支払情報生成部（プログラム）１１８」が動作し、図５の「飲食回数券データ記憶部１１１」の「使用店舗」「使用メニュー」等の情報に基づき当該使用店舗（Ｂカフェ）への支払金額を「飲食回数券データ記憶部１１１」の「店舗支払金額」の欄に、当該店舗（カフェ）の識別情報と関連付けて入力する。
【００７０】
そして、これのデータに基づき、当該店舗支払金額を店舗（Ｂカフェ）の金融機関の口座に送金する。
なお、この店舗支払金額は、各店舗における飲食回数券の使用枚数に、１枚の販売金額を乗じて、さらに本システム１の管理会社の手数料を減じて算出した金額となっており、管理サーバ１００で演算される構成となっている。
なお、本発明における「店舗支払金額」を演算する方法は、上述の計算順序や計算方法等に限定されず、他の計算順序や計算方法等であっても構わない。
【００７１】
次いでＳＴ２８へ進む。ＳＴ２８では、管理サーバ１００が「処理報告画面」を送信した後、所定時間経過後に「第２のアンケート」を携帯端末１０に送信する。
この所定時間経過後は、例えば、ＳＴ２５の消込処理の実行時である「使用日時」から所定時刻としても良い。  この「第２のアンケート」の内容は、例えば、「飲食店舗（Ｂカフェ）の当該メニューの味の感想」や「飲食店舗（Ｂカフェ）の印象」等となっている。
【００７２】
このように、本実施の形態では、第１のアンケートでは、飲食回数券を使用した際（食事する前）の顧客Ｚの意見を取得し、第２のアンケートでは、食事し終わった後の顧客Ｚの意見を取得することができる。
したがって、飲食店舗に関し信頼性の高い顧客Ｚの意見を取得することができる。
特に、飲食店の場合、顧客の平均的な飲食時間（例えば、１時間〜２時間）経過後に「第２のアンケート」メールを送信することで、顧客が購入した料理等の感想を飲食後、顧客の記憶が鮮明なうちに得ることができる。
【００７３】
（予約処理工程）
図１４の「回数券使用画面」で「予約」を選択したときは、顧客Ｚは、利用する飲食店舗（Ｂカフェ）の席や注文等 の予約等を行うことができる構成となっている。
具体的には、「回数券使用画面」で、「予約」を選択すると、管理サーバ１００の図６「予約処理部１２１」が動作し、当該店舗（Ｂカフェ）の店舗端末３０にアクセスする。
そして、店舗端末３０の席の予約画面が表示され、顧客Ｚが席の予約を行うことができる構成となっている。
【００７４】
また、希望する時間の「予約」が満席のときは、「順番待ち」登録をし、「順番」が近づくと、店舗端末３０から顧客Ｚの携帯端末１０に通知が送信される構成ともなっている。
このため、顧客Ｚは、飲食回数券を使用する飲食店舗等を選択する際に、同時に席の予約や順番待ちも併せて行うことができ、極めて使い易いシステムとなっている。
【００７５】
（回数券期限通知工程）
次いで、顧客Ｚが購入した飲食回数券の期限が近づいたときに、その事実を顧客Ｚの携帯端末１０に報知する工程について説明する。
図１２は、回数券期限通知工程を示す概略フローチャートである。
先ず、図１２のＳＴ３１で、管理サーバ１００の図６の「回数券期限処理部（プログラム）１２２」が動作し、図５「飲食回数券データ記憶部１１１」を参照する。
そして、「使用期限」が近づいた（例えば、１カ月以内等）飲食回数券と関連付けてある識別番号の「メールアドレス」を図６の「期限近接メールアドレス記憶部１２３」に記憶させる。
【００７６】
次いで、ＳＴ３２へ進む。ＳＴ３２では、図６の「利用回数判断処理部（プログラム）１２４」が動作し、「期限近接メールアドレス記憶部１２３」の「メールアドレス」の「識別番号」の「回数券」の「残枚数」、「使用店舗」及び「使用時刻」並びに図６の「頻度基準データ記憶部１２５」を参照する。
【００７７】
この「頻度基準データ記憶部１２５」に記憶されている「所定の期間内で、所定回数超」の回数券の利用があったか否か（使用頻度が高いか否か）を判断し、肯定の場合は、ＳＴ３３へ進む。
ＳＴ３３では、「利用回数判断処理部１２４」が動作し、図６の「所定超利用回数メールアドレス記憶部１２６」に当該識別番号の「メールアドレス」を記憶する。
【００７８】
次いで、ＳＴ３４へ進む。ＳＴ３４では、図６の「期限等データ送信処理部（プログラム）１２７」が動作し、「期限近接メールアドレス記憶部１２３」と「所定超利用回数メールアドレス記憶部１２６」を参照する。
そして、「所定超利用回数メールアドレス記憶部１２６」のメールアドレスには、使用期限が近づいた旨のメールを送信すると共に、他のフードコートの回数券情報を送信する。
なお、本実施の形態では、「使用期限が近づいた旨」をメールで送信する例で説明したが、本発明は、これに限らず、例えば、電話番号を使用してＳＭＳ等で送信しても構わない。
また、管理サーバ１００から携帯端末１０へ各種情報を通知する際も、他のメッセージアプリケーションを使用し、電話番号等を介して通知する構成としても構わない。
【００７９】
一方、ＳＴ３２で、「期限近接メールアドレス記憶部１２３」のメールアドレスで、「所定超利用回数メールアドレス記憶部１２６」のメールアドレスに含まれないときは、ＳＴ３５へ進む。
ＳＴ３５では、当該メールアドレスに使用期限が近づいた旨のメールのみ送信し、他のフードコートの回数券情報を送信することはしない構成となっている。
【００８０】
したがって、本工程では、飲食回数券の利用頻度が高く、他のフードコート等の飲食回数券等の情報を必要としている顧客を選択して必要な情報を迅速且つ適切に提供することができる。このため、顧客にとって不必要な情報を提供することを未然に防止することができる。
【００８１】
また、飲食回数券の使用期限のメールを顧客Ｚの携帯端末１０等に送信するため、顧客Ｚは、期限が近づいたことを迅速に知ることができる。
【００８２】
（回数券使用可能通知工程）
本実施の形態では、携帯端末１０にＧＰＳ装置１５を備えるため携帯端末１０の位置情報を取得可能となっている。このため、携帯端末１０を所持する顧客Ｚが購入した飲食回数券の使用可能領域に所在したとき、当該飲食回数券の使用が可能であることを携帯端末１０に報知させる構成となっている。
以下、詳細に説明する。
【００８３】
図１３は、「回数券使用可能通知工程」を示す概略フローチャートである。
先ず、図１３のＳＴ４１で、携帯端末１０のＧＰＳ装置１５が、携帯端末１０の位置を測位し、位置情報を管理サーバ１００に送信し、ＳＴ４２で、管理サーバ１００は、図７の「携帯端末位置情報記憶部１３１」に記憶する。
【００８４】
次いで、ＳＴ４３へ進む。ＳＴ４３では、管理サーバ１００の図７の「回数券使用可能判断部（プログラム）１３２」が動作し、「携帯端末位置情報記憶部１３１」、図５の「飲食回数券データ記憶部１１１」の「位置情報」「回数券種類データ」を参照する。
この「回数券種類データ」と「位置情報」で、飲食回数券の使用が可能なフードコート等の施設の場所の情報を取得することができる。
【００８５】
そして、「携帯端末位置情報記憶部１３１」の位置が、「飲食回数券データ記憶部１１１」の「位置情報」に該当しているか否かを判断し、該当するときは、ＳＴ４４へ進む。
ＳＴ４４では、「回数券使用可能判断部１３２」が「飲食回数券データ記憶部１１１」の「使用期限」「残枚数」を参照し、使用期限前で残枚数があるか否かを判断する。
【００８６】
そして、使用期限前で残枚数があるときは、ＳＴ４５へ進む。ＳＴ４５では、使用可能な「回数券種類データ」があることを携帯端末１０に送信し、携帯端末１０の携帯端末タッチパネル１１に表示する。
これにより、携帯端末１０の所持者である顧客Ｚに、適切なタイミングで飲食回数券の使用を促すことができる。
【００８７】
なお、本実施の形態では、本工程の判断を管理サーバ１００で行う例で説明したが、本発明はこれに限らず、携帯端末１０で判断等する構成としても構わない。
【００８８】
以上説明した本実施形態においては、装置として実現される場合を例に挙げて説明したが、本発明は、これに限定されず、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納され頒布されてもよい。
【００８９】
また、記憶媒体は、プログラムを記憶でき、かつコンピュータが読み取り可能な記憶媒体であればよい。記憶媒体の記憶形式は、特には限定されない。
【００９０】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【００９１】
さらに、本発明における記憶媒体は、コンピュータと独立した媒体には限定されず、ＬＡＮやインターネット等により伝送されたプログラムをダウンロードして記憶または一時記憶した記憶媒体も含まれる。
【００９２】
また、本発明におけるコンピュータは、記憶媒体に記憶されたプログラムに基づいて本実施形態における各処理を実行すればよく、１つのパソコン等からなる装置であってもよいし、複数の装置がネットワーク接続されたシステム等であってもよい。
【００９３】
また、本発明におけるコンピュータとは、パソコンには限定されず、情報処理機器に含まれる演算処理装置、マイコン等も含み、プログラムによって本発明の機能を実現することが可能な機器、装置を総称している。
【００９４】
以上、本発明の実施形態について説明した。しかし、本発明は、上記実施形態に限定されず、特許請求の範囲を逸脱しない範囲で種々の変更を行うことができる。
【符号の説明】
【００９５】
１・・・飲食回数券管理システム、２・・・インターネット網、３・・・基地局、１０・・・携帯端末１０、１１・・・携帯端末タッチパネル、１２・・・携帯端末入力ボタン、１３・・・携帯端末制御部、１４・・・携帯端末通信装置、１５・・・ＧＰＳ装置１５、１６・・・携帯端末側各種情報記憶部、３０・・・店舗端末、３１・・・店舗端末制御部、３２・・・店舗端末通信装置、３３・・・店舗端末タッチパネル、３４・・・店舗端末側各種情報記憶部、４０・・・バーコードリーダ、１００・・・管理サーバ、１０１・・・管理サーバ制御部、１０２・・・管理サーバ通信装置、１０３・・・各種情報入力装置、１０４・・・ディスプレイ、１０５・・・時計装置、１１０・・・第１の管理サーバ各種情報記憶部、１２０・・・第２の管理サーバ各種情報記憶部、１３０・・・第３の管理サーバ各種情報記憶部、１１１・・・飲食回数券データ記録部、１１２・・・回数券有効判断処理部、１１３・・・同一店舗制限判断処理部、１１４・・・消し込み処理部、１１５・・・購入可能な飲食用数券データ記憶部、１１６・・・営業時間判断部、１１７・・・消し込み処理位置判断部、１１８・・・支払情報生成部、１２１・・・予約処理部、１２２・・・回数券期限処理部、１２３・・・期限近接メールアドレス記憶部、１２４・・・利用回数判断処理部、１２５・・・頻度基準データ記憶部、１２６・・・所定超利用回数メールアドレス記憶部、１２７・・・期限等データ送信処理部、１３１・・・携帯端末位置情報記憶部、１３２・・・回数券使用可能判断部
【図１】
2020087302.tif 000003
【図２】
2020087302.tif 000004
【図３】
2020087302.tif 000005
【図４】
2020087302.tif 000006
【図５】
2020087302.tif 000007
【図６】
2020087302.tif 000008
【図７】
2020087302.tif 000009
【図８】
2020087302.tif 000010
【図９】
2020087302.tif 000011
【図１０】
2020087302.tif 000012
【図１１】
2020087302.tif 000013
【図１２】
2020087302.tif 000014
【図１３】
2020087302.tif 000015
【図１４】
2020087302.tif 000016
【図１５】
2020087302.tif 000017
【図１６】
2020087302.tif 000018
【図１７】
2020087302.tif 000019